(57)【要約】照明器具（１）が、細長い光源（２）、例えば蛍光管がリフレクタに対して間隔を置いて設置され、それによって後者は光源をその後側で囲んで、光源からの光を反射し、かつそれを空洞からほぼ前方向へ放射させる、細長い凹面空洞を画定するリフレクタ（３）を備える。照明器具（１）からの配光を照明器具が使用される状況の要件に適合するように調整するために、リフレクタ（３）は、空洞の両側に、その内側表面から立ち上がって、放射される光を途中で捕らえ、光源（２）とリフレクタ（３）との間の空洞内の空間からほぼ前方向へそらす、それぞれのプリズム構造（６）を備える。
2004533085.tif 000002
【特許請求の範囲】
【請求項１】
細長い光源がリフレクタに対して間隔を置いて設置され、それによって後者は光源をその後側で囲んで、光源からの光を反射し、かつそれを空洞からほぼ前方向へ放射させる、細長い凹面空洞を画定するリフレクタを備える照明器具であって、リフレクタは、その内側表面から立ち上がって、放射される光を途中で捕らえ、光源とリフレクタとの間の空洞内の空間からほぼ前方向へそらす、プリズム構造を備える照明器具。
【請求項２】
細長い光源がリフレクタに対して間隔を置いて設置され、それによって後者は光源をその後側で囲んで、光源からの光を反射し、かつそれを空洞からほぼ前方向へ放射させる、細長い凹面空洞を画定するリフレクタを備える照明器具であって、リフレクタは、空洞の両側に、その内側表面から立ち上がって、放射される光を途中で捕らえ、光源とリフレクタとの間の空洞内の空間からほぼ前方向へそらす、それぞれのプリズム構造を備える照明器具。
【請求項３】
リフレクタは、空洞の両側に、かつそれぞれのプリズム構造の前側に、空洞の反対側のプリズム構造によって放射された光を途中で捕らえるために定置された追加の反射面をさらに備える、請求項２に記載の照明器具。
【請求項４】
前記／各プリズム構造がリフレクタの長さに沿って延在する、請求項１〜３のいずれか一項に記載の照明器具。
【請求項５】
前記／各プリズム構造がほぼ三角形の断面を有し、かつプリズム構造の頂点をリフレクタ面から離して配向される、請求項１〜４のいずれか一項に記載の照明器具。
【請求項６】
前記／各プリズム構造が、構造の頂点を空洞の中へ、または空洞の外へ向けて配向される、請求項５に記載の照明器具。
【請求項７】
リフレクタが、リフレクタの反射面を設けるために積層された反射シート材料を有する、成形された外板を備える、請求項１〜６のいずれか一項に記載の照明器具。
【請求項８】
外板が光学的に透明な材料から形成され、かつ反射シート材料がその外側表面に積層される、請求項７に記載の照明器具。
【請求項９】
前記／各プリズム構造が外板の一体部分である、請求項７または８に記載の照明器具。
【請求項１０】
プリズム構造が細長い光源と係合し、かつリフレクタを細長い光源に保持するのに役立つ、請求項２に記載の照明器具。
【請求項１１】
プリズム構造が細長い光源と係合し、かつそれによって光源の後側とリフレクタの内側表面との間の空間を塞ぐ、請求項２に記載の照明器具。
【請求項１２】
光源の広がりの方向に直角な面において、細いビームの形であり、前方向に強度ピークを有する光出力を与える、請求項１〜１１のいずれか一項に記載の照明器具。
【請求項１３】
請求項１２に記載の照明器具と、光を照明器具から一縁部を通して受け取るように配置された光導波管と、を備えるバックライトシステム。
【請求項１４】
光源の広がりの方向に直角な面において、発散ビームの形であり、２つの強度ピークを、前方向の各側に１つずつ有する光出力を与える、請求項１〜１１のいずれか一項に記載の照明器具。
【請求項１５】
照明器具が、光を照明対象の区域に向けてほぼ下方向へ放射するように配置される、請求項１４に記載の照明器具を備える照明装置。
【請求項１６】
実質上、添付図面の図１〜３、または図４〜７のいずれか一図を参照して、かつそれらに示される、本明細書で説明された照明器具。
【発明の詳細な説明】
【０００１】
本発明は、細長い光源およびバックリフレクタを備える型の照明器具に関する。本発明は、特に、それに限定されるわけではないが、蛍光管を光源として用いる照明器具に応用可能である。
【０００２】
蛍光管の形の細長い光源が、屋内屋外両方で空間照明用の照明器具で広く使用されている。それらはまた、例えば、商業用および非常用標示ばかりでなく電子ディスプレイも含み、棚照明および陳列照明で多くの他の用途を有する。
【０００３】
照明器具から必要とされる配光が、照明器具が目的とする用途に左右される。例えば、普通の空間照明用蛍光管を用いる、天井に取り付けられた照明器具の場合、いわゆる「バットウィング」型の広角横分布を有する光出力が、多くの場合好まれる。何故なら、それは、照明器具が比較的広く間隔を置いて配置されている場合でさえも、床レベルにおいて比較的均一なレベルの照度が達成されることを可能にするからである。照明対象の空間が、コンピュータのディスプレイ画面が使用される空間である場合、「バットウィング」分布は、下向きの垂直線のどちら側でも約６０度でカットオフを示して、ユーザーによって体験される、ディスプレイ画面からのまぶしい光の量を減らす。他方、蛍光管を用いる照明器具が、光導波路のエッジ照明、例えばディスプレイ用のバックライトシステムを設けるために使用される場合、照明器具の光出力は、できるだけ多くの光が導波路に注入されるように、細い横分布を有することが必要である。
【０００４】
蛍光管は通常、その軸を中心とする全ての方向にほぼ均一に光を放射し、照明器具内で、それは多くの場合、後方へ放射された光を前方向へ向け直すバックリフレクタが設けられる。間隔を置いて配置されたバックリフレクタが、空間照明用に蛍光管と共に広く使用され、また電子ディスプレイ用のバックライトで蛍光管と共にしばしば使用され、それらはエネルギー使用上非常に効率の良い照明器具を生じ得る。バックリフレクタは、しかしながら、多くの場合光源に比べて非常に嵩張り、限られた空間で使用するには必ずしも適当でない。さらに、照明器具が空間照明に使用される場合、前面拡散器も多くの場合、床レベルにおいて均一なレベルの照度を与え、構成のバルキネスをさらに増すために必要とされる。
【０００５】
間隔を置いて配置されたバックリフレクタ付きの線状光源を備える照明器具の例が、米国特許第４  ６４２  ７４１号、同第４  ５１４  ７９３号、および同第３  ６５４  ４７１号に記載されている。米国特許第４  ６４２  ７４１号に記載される装置において、バックリフレクタは、出荷および取扱いのために線状光源に巻き付けられ得る。
【０００６】
間隔を置いて配置されたバックリフレクタ付きの蛍光管を備える照明器具の代替案、いわゆる「アパーチャーランプ」が開発された。この型の細長い光源において、反射性材料が、光（反射材料によって反射された光を含む）が出射できる細長いアパーチャーを残して、蛍光管の周囲の部分をしっかりと囲む（またはその部分と一体化する）。反射材料は、蛍光管の内側または外側に直接施されるか、あるいは管を完全に囲む保護被覆の内側または外側に施される、シート材料またはコーティングであってもよい。用いられた反射材料、および形成される細長いアパーチャーの大きさに応じて、アパーチャーは高いレベルの表面輝度を示し得るが、必ずしも制御された配光を与えるとは限らない。
【０００７】
アパーチャーランプの例が、米国特許第３  １１５  ３０９号、同第４  １８６  ４３１号、同第４  ９９１  ０７０号、同第５  ０３６  ４３６号、同第５  ５１０  ９６５号、ＷＯ  ９４／２２１６０およびＷＯ  ９９／６０３０３に記載されている。米国特許第５  ５１０  ９６５号に記載されている装置において、印刷膜がリフレクタとして使用され、印刷パターンが光源の出力を所要の方法で変更するために選択される。
【０００８】
いくつかの場合、照明管の周りに接近して係合するバックリフレクタが使用された。その型の装置の例が、米国特許第２  ０７８  ３７０号、同第２  ５９５  ２７５号、同第３  １４０  ０５５号、およびＤＥ−Ａ−１９５  ２８  ９６２に記載されている。それらの例のいくつかにおいて、リフレクタに照明管から離れて延在する部分が設けられる（米国特許第２，０７８，３７０号、同第２，５９５，２７５号、および同第３，１４０，０５５号参照）。
【０００９】
間隔を置いて配置されたバックリフレクタ付きの照明管がより多くの空間を必要とするけれども、それは一般に比較できるアパーチャーランプよりもエネルギー効率が良いであろう。何故なら、光は前方向に放射される前の反射が少なく、そのため反射で失われる光量が減るためであろう。
【００１０】
米国特許第４，９３３，８２１号および同第５，４１４，６０４号が、蛍光管からの光の一部が光の残りに対して鋭い角度で照明器具を離れることを確かにするように形成される、間隔を置いて配置されたバックリフレクタを備える照明器具を記載している。米国特許第４，９３３，０２１号に記載される照明器具において、それはバックリフレクタの縁を形成することによって達成される。米国特許第４，４１８，３７８号において、ライトボックスで使用される蛍光管の出力が、管に切取端付きの開口スリーブを設けることによって変更される。
【００１１】
本発明が関係する問題は、照明器具の細長い光源に対して、比較的コンパクトであり、光を所要方向に向け直すばかりでなく、照明器具からの配光を照明器具が使用される予定の特定の位置の要求に適合するように調整するであろう、リフレクタを提供することである。
【００１２】
本発明は、細長い光源がリフレクタに対して間隔を置いて設置された細長い凹面空洞を画定する、リフレクタを備える照明器具を提供し、それによってリフレクタは光源をその後側で囲んで、光源からの光を反射し、光を空洞からほぼ前方向へ放射させる。リフレクタは、その内側表面から立ち上がって、光源とリフレクタとの間の空洞内の空間から、ほぼ前方向へ放射される光を途中で捕まえ、そらせるプリズム構造を備える。
【００１３】
本発明はまた、細長い光源がリフレクタに対して間隔を置いて設置された細長い凹面空洞を画定する、リフレクタを備える照明器具を提供し、それによってリフレクタは光源をその後側で囲んで、光源からの光を反射し、光を空洞からほぼ前方向へ放射させる。リフレクタは、空洞の両側に、その内側表面から立ち上がって、光源とリフレクタとの間の空洞内の空間から、ほぼ前方向へ放射される光を途中で捕まえ、そらせる、それぞれのプリズム構造を備える。
【００１４】
本発明に係る照明器具の細長い光源は、リフレクタによって光源へ戻される光を完全に吸収せず、かつ好ましくはその光をほぼ全然吸収しないであろうことが必要である。適当な光源が蛍光管である。
【００１５】
本明細書で使用される用語「光」は、電磁スペクトルの紫外、可視、および／または赤外領域の電磁放射線を指す。
【００１６】
本明細書で使用される用語「プリズム構造」は通常、２つの端部が同様な、等しい、かつ平行な形であり、側部が平行四辺形である構造を指す。その最も簡単な形で、プリズム構造は三角形の断面を有する。しかしながら、本明細書で使用されるように、この用語は、３つより多くの側部付きの断面を有する構造にまで、また構造が側部の少なくともいくつかが彎曲を形成する程の非常に多数の側部付きの断面を有する極端な場合にまでも及ぶ。
【００１７】
単に例証として、本発明の実施形態が添付図面を参照して説明されるであろう。
【００１８】
図１に分解状態で、かつ図２に組立状態で示される照明器具１が、直線状蛍光管およびリフレクタ３を備える。リフレクタ３は細長い形をしており、図３に示すように、光源２が片側でリフレクタによって部分的に囲まれるように、光源２が配置される空洞４を画定する、ほぼ凹面形の横断面を有する。リフレクタ３は、使用中、光を空洞４の外へ前方向に（すなわち、リフレクタから離れて）放射するように意図される照明器具の後部を形成する。
【００１９】
リフレクタ３は、ほぼ半円形である横断面を有する細長い外板５、およびその内側表面に３つの直立した、縦方向に延在するリブ６、７を備える。参照数字６によって示される、直立したリブの２つが外板５の縦方向の縁部に設置され、第３の直立したリブ７が中央に設置される。外板５およびリブ６、７を備えるリフレクタ３は、光学的に透明な（好ましくは重合体）材料から形成され、成形または押出しされた部品であることが好ましい。リフレクタ３用の適当な材料はポリカーボネートであるが、あるいは、それはアクリル材料から形成されることがあり得る。リブ６、７は蛍光管２の密封容器と接触し、そして外板５を後者から離し、リブ６の場合、後にさらに詳しく説明されるであろうように照明器具１から出る配光を変更するのに役立つ。高効率の正反射層８が外板５（示されるように、リブ６の基部に対向する縁部分を含む）の外側表面に形成されて、光源２からの外板を通過する光を反射する。
【００２０】
リフレクタ３は蛍光管２を受け入れる取付物に取り付けられるか、またはその一部を形成する。あるいは、それは管２の密封容器に、取外し可能なように、かつことによると要求の応じて管に対して調整可能なように直接取り付けられる。好ましい装置において、リフレクタ３は、それがリブ６の作用によってだけ管に保持されることを可能にする程度に蛍光管２の周りに延び、リフレクタを管に対して所望の外周位置に保持する、なにかの手段を設けることだけが必要である。その場合、リフレクタ３の外板５は、要求される場合管２の挿入および取外しを可能にするために十分撓み性であることが必要である。リフレクタを蛍光ランプの密封容器に直接取り付ける種々の他の装置が知られており、例が米国特許第４  ５１４  ７９３号および同第２  ５９５  ２７５号に記載されている。あるいは、リフレクタ３は、米国ミネソタ州セント・ポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ，Ｓｔ  Ｐａｕｌ，  Ｍｉｎｎｅｓｏｔａ，  ＵＳＡ）から入手できる商品名「クリップオンリフレクタ（Ｃｌｉｐ−Ｏｎ  Ｒｅｆｌｅｃｔｏｒ）」で利用できるリフレクタと同じ装置を用いて取り付けられる。
【００２１】
照明器具１は、一般に次のように機能する。蛍光管２は、光をその縦方向軸を中心とする全ての方向にほぼ均一に放射するであろう。後方向へ、すなわちリフレクタ３の方へ放射される光が外板５を通過し、層８によって反射されて蛍光管２の方へ戻されるであろう。そこで光は再び反射され、層８へ戻される。光が管２またはリブ６の１つのどちらかを通って空洞４から最終的に出る（前方向へ進む）前に、光は実際に、空洞４、蛍光管２と外板５との間の空間内で多数の反射を受ける。これまでに説明されたように、リフレクタ３は従来のやり方で機能する。
【００２２】
層８における反射で失われる光量を減らすために、層８は、空洞４に臨んで、少なくとも９０％、好ましくは少なくとも９８％の反射率を有することが必要である。層８は外板５の外側表面に張り付けられた反射膜を備え、この場合好ましい反射膜は、米国特許第５  ８８２  ７７４号およびＷＯ  ９７／０１７７４に記載される型の多層光学膜である。適当な代替膜がドイツエネペタルのアラノッド（Ａｌａｎｏｄ  ｏｆ  Ｅｎｎｅｐｅｔａｌ，Ｇｅｒｍａｎｙ）から商品名「ミロ（Ｍｉｒｏ）」で利用できる。反射膜の使用に対する代替として、層８は蒸着層であり得る。ある場合には、正反射材料のストリップがリブ６の基部に対向して必要とされるだろうけれども、層８は本質的に乱反射材料である。
【００２３】
図３に示される装置の変更態様において、正反射材料のストリップがリブ６の基部に対向する外側表面に保持されるけれども、反射層８は外板５の内側表面へ移される。
【００２４】
リブ６の各々は三角形の断面を有するプリズムの形であり、プリズムの基部はリフレクタ３の外板５の外側表面の続きであり、プリズムの頂点は蛍光管２の密封容器に隣接する。２つのプリズム６は二等辺三角形の形をした、同一の断面を有し、管２に対して対称に定置され、配向される。空洞４から出るときにプリズム６の１つを通過する光が、プリズムによってそらされるであろう。プリズムの適当な配向およびプリズム角度の選択によって、光が照明器具から出るであろう方向を制御することが可能である。リフレクタ３が蛍光管２の周りを包む広がりを変えることによって、プリズム６を通過する光量を調整することがまた可能である。
【００２５】
図３に示されるリフレクタの場合、リフレクタ３の広がり（プリズム６の頂点間の距離として測定される）は、リフレクタは管２の外周の約５５％を包むようになっている。プリズム６は７６度のプリズム角度αを有し、プリズムの外側表面がプリズム頂点を含む面に対して６８度の角度βであり、その結果プリズム頂点は空洞４に向けられるように、各プリズムは指向される。図３Ａは、図３の面（すなわち、管２の長さに直角な）における、リフレクタ３のこの構成の照明器具の光の角分布上の効果を示す。図３Ａは、この面で、光は強度ピ−クを前方向（図３Ａの０°）に有し、前方向のそれぞれの側でランベルト源による光よりも速くゼロに減衰することを示す。直交面（すなわち、管２の長さに沿った）において、光はまた強度ピ−クを前方向に有するが、リフレクタ３の効果はそれほど明らかでない。
【００２６】
図４は図３に類似であり、各プリズムの外側表面がプリズム頂点を含む面に対して８度の角度βであり、その結果各プリズムの頂点は空洞４の外へ向けられるようにプリズム６は指向される、照明器具を示す。図４Ａは図３Ａに類似であり、リフレクタ３のこの構成の照明器具からの光の、図４の面における、角分布上の効果を示す。この面において、光は再び強度ピ−クを前方向（図４Ａの０°）に有することが分かるであろう。直交面（すなわち、管２の長さに沿った）において、光はまた強度ピ−クを前方向に有するが、リフレクタ３の効果はそれほど明らかでない。
【００２７】
強度ピ−クを前方向に有する光ビームを与える、図３および４に示される型の照明器具は、それは比較的高いレベルの光が導波路に注入され、それによって装置の効率を向上させるので、光導波路の縁照明に特に適する。光導波路は、例えば電子ディスプレイまたはエッジリットサインのような種々の用途を持つことが可能であり、またはそれ自体も照明器具として機能する。図３および４に示される型の照明器具はまた、表面（例えばサイン面）を照明する、かつ小売場所における商品を照明する「ウォールウォッシング」照明装置で使用するのに適する。さらに、それらのコンパクトな構成によって、それらは、フォークリフトの移動性を妨げずに棚を効果的に照明するために、倉庫内の保管棚間の通路の上に取り付けるのに特に適する。
【００２８】
図５は図３および４と同様に見えるが、全く異なる配光を与えるであろう照明器具を示す。この場合、リフレクタ３の広がり（プリズム６の頂点間の距離として測定される）は、リフレクタは蛍光管２の外周の約７０％を包むようになっている。さらに、プリズム６もやはり図３および４のように７６度の頂角αを有するけれども、各プリズムの外側表面がプリズム頂点を含む面に対して３８度の角度βであるように、プリズム６は指向される。図５Ａは、リフレクタ３のこの構成の照明器具からの光の、図５の面における、角分布上の効果を示す。この分布はいわゆる「バットウィング」形を有し、ここで光強度は２つのピークを前方向の各側（この場合、約４０度の角度）に１つ有し、そして角度が広がるにつれて、ランベルト分布を受けてゼロに減衰する。直交面（すなわち、管２の長さに沿った）において、リフレクタ３の光の角分布上の効果はそれほど明らかでない。
【００２９】
図６は図５に示される構成の変更態様を示す。主な変更態様が、リフレクタ３をプリズム６を越えて続けて、同様な外側へ傾いた延長部分９をリフレクタの湾曲した外板５の各縁に沿って形成することを含む。層８と類似する、高効率の正反射層１０が、各延長部分９の外側表面に形成される。延長部分９は、さもないと比較的広い角度で照明器具１から出るだろう光を途中で捕まえ（いずれの場合にも、リフレクタの他の側のプリズム６からの一部の光を含む）、それをより前方向へ放射するために機能する。図６Ａは、この構成の照明器具からの光の、図６の面における、角分布を示す。この分布もやはり「バットウィング」形を有するが、２つのピークにおける光強度が増大され、両側で前方向から約６０度で非常に速くゼロに減衰する。
【００３０】
広角の「バットウィング」分布を与える、図５に示される型の照明器具は、一般の空間照明応用に特に適する。複数の天井に取り付けた照明器具が床面を照明するために使用される場合、「バットウィング」分布を与える照明器具は、それらは、与えられる照明の均一性を損なわずにより広く離れて配置され得る点で、最も効果的であることが既に知られている。図６に示される型の照明器具は、コンピュータディスプレイ画面が使用される、事務所のような空間を照明するのに好ましい。その場合、各照明器具によって放射された光が、下向きの垂直線を中心とする約６０度の角度内に含まれるので、ディスプレイ画面からのまぶしさがユーザーにとってそれほど迷惑ではないであろう。天井に取り付ける場合、図５Ａおよび６Ａの照明器具は、放射された光が照明される空間の床面の方へ下方向に向けられるように、配向されるだろうことが理解されるであろう。
【００３１】
図３〜６に示される照明器具の構成において、プリズム６の配向、プリズム角度、およびリフレクタ３の広がりが、放射された光の分布を変更するために全て変えられ得る。これらの３つの因子のうち、プリズム６の配向は配光に最も影響を与えることが分かった。リフレクタ３の広がり（プリズム６の頂点間で測定される）、従って光源２が囲まれる度合いを大きくすることが、放射される光が少ないので照明器具の効率を低下させるであろうが、制御されない方法で放射される光量も減らすであろう。図５Ａおよび６Ａのような「バットウィング」配光を有する照明器具の場合、例えば、リフレクタ３（プリズム６の頂点間で測定される）は、光源２の外周の５５％〜８５％を囲むことで満足であるけれども、約７５％を囲むことが好ましい。図３Ａおよび４Ａのような小幅の配光を有する照明器具の場合、それに対して、光源２のより小さい部分がリフレクタ３によって通常囲まれるだろう。すべての場合において、リフレクタが光源を囲む広がりを変える場合、リフレクタの位置を光源に対して維持するために使用される機構を設けるために考察が必要である。
【００３２】
図６に示される型である、バットウィング配光を与える、１つの好ましい構成が、２５ミリの直径を有する蛍光管２を使用し、リフレクタ３の２つのプリズム６の頂点間の距離が、管の外周の約７５％を囲むために十分である。基部と頂点との間のプリズム側面の長さは１０ミリであり、プリズム頂点角αは７４度であり、プリズムは、各プリズムの外側表面がプリズム頂点を含む面に対して４０度の角度βであるように配向される。延長部分９は２０ミリの幅を有し、プリズム６の頂点を含む面に対して１００度の角度で外側に傾斜する。
【００３３】
既に上に示されたように、図３〜６の照明器具のリフレクタ３は、蛍光管２の長さに直角な面における配光に及ぼす影響を制御する。それらの照明器具のいずれかの光出力の追加制御が直交面で必要とされる場合、これは、例えば、管２の前面に管を横切って通るように配置されるルーバーを設けることによって達成され得る。
【００３４】
図３〜６の照明器具は、蛍光管と共に使用するのに適していることが知られる、どんな適当な追加特徴も備えられ得る。例えば、反射層８が高分子膜によって施される場合、ロードされた（ｌｏａｄｅｄ）高分子材料が、ＥＰ−Ａ−０  ８１１  ３０５に記載されるように、高分子反射膜の裏に施されて、蛍光管を起動し、調整するのを助ける。
【００３５】
図３〜６の上記の説明から、蛍光管２の背後のリブ７が、管とリフレクタ外板５との間の間隔を維持するためにだけ有用であることが理解されるであろう。それは照明器具からの配光に寄与しないし、光源とリフレクタとの間の間隔を維持する、なにか代替機構が設けられる場合、省かれることがあり得る。
【００３６】
図３〜６に示される照明器具の構成の特別な実用的利点は、蛍光管２とバックリフレクタ３との間の空間が、管の長さに沿って、プリズム６によって塞がれ、その結果、従来の装置よりもずっと清浄に保つであろうということである。照明器具が空間照明用に使用される場合、通常管２の外側表面およびプリズム６だけが清掃を必要とするであろう。
【００３７】
図３〜６のリフレクタ３のプリズムリブ６がすべて、二等辺三角形の形の断面を有するけれども、他の形のプリズムが、照明器具からの配光を変えるために用いられることがあり得る。プリズム６に対して行われる変更態様では、例えば、丸い側面、微細構造表面、および非対称断面が施される。どのリフレクタのプリズム６も同じ形状を有する必要がなく、必要な配光に応じて、プリズムの１つが省かれる。
【００３８】
蛍光管２およびリフレクタ３がもはや同心でないように、それらの相対位置を変えることも可能である。図７は、例えば、リフレクタと管の背後との間の間隔を小さくするようにリブ７は短くされることを除いて図５に類似である、リフレクタ３付きの照明器具を示す。一般に、しかしながら、管２とリフレクタ３との間の間隔がより広いことが好ましい。何故なら、そのとき光は、照明器具の空洞４から出射する前に、反射することが少なくなるであろうからである。
【００３９】
バックリフレクタ３の形状はまた、図３〜６に示されるほぼ半円形から変更され得る。リフレクタ３は、例えば、放物線形を有するか、または平面を含む。さらに、リブ６、７はリフレクタ外板５と一体で形成されることが好ましいけれども、それはまた本質的ではない。外板５は、例えば、金属（それ自体で、十分に反射する）で形成され、リブ６、７はそれに取り付けられることがあり得る。そのような構成において、プリズムリブ６は、もちろん、光学的に透明な材料から形成されるだろう。
【００４０】
図１〜７の照明器具は光源として蛍光管を用いるけれども、それらは、どんな代替形の細長い光源も、これがリフレクタ３によってそれに戻される光を全く吸収しないという条件で、使用することがあり得る。適当な代替光源は、直径の大きい光ファイバーおよび光導波路を含む。
【００４１】
図８は、本発明に係る照明器具１１、および中実の光導波路１２を含むバックライトシステム２０を示す断面略図である。光導波路１２は長方形の断面を有するとして示され、細長い照明器具は一縁部１２Ａに沿って定置される。長方形の光導波路の使用は本質的ではないが、しかしながら、どんな他の適当な形状の光導波路も使用されることがあり得る。照明器具のリフレクタ１３が、照明器具の出力は図３Ａおよび４Ａに示されるように細い、前方向に向けられたビームであり、それによって光のなるべく多くが隣接する縁部１２Ａを通って光導波路１２に入ることを確かにするように、選択される。
【００４２】
中実または中空である光導波路１２は前面１４および背面１５を有する。バックライトシステムが使用中である場合、偏光器、拡散器、液晶ディスプレイパネル、グラフィックフィルムまたはプリントのような部品が、前面１４の上に置かれる。その部品は図７に示されないが、よく知られており、本明細書でさらに詳細に説明されないであろう。光導波路１２は、光を導波路内から前面１４を通って外へ向けるために、或る形の光抽出機構をさらに含む。知られている抽出機構の例が、導波路の背面１５の上に拡散ドットを、またはその中に溝を含む。
【００４３】
図３〜７に示されるように構成される照明器具の特に有利な特徴は、それらは蛍光管を用いる従来の照明器具に比べて非常にコンパクトであり得るが、それにもかかわらず多種多様の場所で効果的な照明を与えることである。必要な空間が少ない照明器具が、例えば、ビル建築、インテリアデザイン、および電子ディスプレイを含む、多くの分野でより大きい設計の自由度を呈する。
【図面の簡単な説明】
【図１】本発明に係る照明器具の分解斜視図である。
【図２】組立状態の図１の斜視図である。
【図３】図２の照明器具の横断面図である。
【図３Ａ】図３の面内の照明器具の出力配光を示す図である。
【図４】本発明に係る照明器具の横断面図である。
【図４Ａ】図４の面内の図４の照明器具の出力配光を示す図である。
【図５】本発明に係る照明器具の横断面図である。
【図５Ａ】図５の面内の図５の照明器具の出力配光を示す図である。
【図６】本発明に係る照明器具の横断面図である。
【図６Ａ】図６の面内の図６の照明器具の出力配光を示す図である。
【図７】本発明に係る照明器具の横断面図である。
【図８】本発明に係る照明器具を組み込む背面照明装置の線図である。
【国際公開パンフレット】
2004533085.tif 000003
2004533085.tif 000004
2004533085.tif 000005
2004533085.tif 000006
2004533085.tif 000007
2004533085.tif 000008
2004533085.tif 000009
2004533085.tif 000010
2004533085.tif 000011
2004533085.tif 000012
2004533085.tif 000013
2004533085.tif 000014
2004533085.tif 000015
2004533085.tif 000016
2004533085.tif 000017
2004533085.tif 000018
2004533085.tif 000019
2004533085.tif 000020
2004533085.tif 000021
2004533085.tif 000022
2004533085.tif 000023
【国際公開パンフレット（コレクトバージョン）】
2004533085.tif 000024
2004533085.tif 000025
【国際調査報告】
2004533085.tif 000026
2004533085.tif 000027
2004533085.tif 000028